(57)【要約】【課題】無給油でも潤滑性に優れ、ブシュの外周面とローラの内周面の摩耗が低減されて、ブシュとローラとの間で発生する摺動音や焼付きを防止でき、高荷重（高負荷）を支持することができ、製造コストの安価なコンベヤチェーンを提供する。【解決手段】内周に滑り軸受が設けられたフランジローラ１３がブシュ１２に回転自在に外嵌され、且つアタッチメント１７を備えたコンベヤチェーン１１において、アタッチメント１７からの負荷を支持するフランジローラ１３の滑り軸受は固体潤滑剤を有する銅系合金製滑り軸受２１で構成され、その他のフランジローラ１３の滑り軸受はポリアミド樹脂製滑り軸受２２で構成されている。【選択図】    図３
2004196487.tif 000002
【特許請求の範囲】
【請求項１】
内周に滑り軸受が設けられたローラがブシュに回転自在に外嵌され、且つアタッチメントを備えたコンベヤチェーンにおいて、
前記アタッチメントからの負荷を支持する前記ローラの前記滑り軸受は固体潤滑剤を有する金属製滑り軸受で構成され、その他の前記ローラの前記滑り軸受は樹脂製滑り軸受で構成されていることを特徴とするコンベヤチェーン。
【請求項２】
前記樹脂製滑り軸受は固体潤滑剤を有することを特徴とする請求項１記載のコンベヤチェーン。
【発明の詳細な説明】
【０００１】
【発明の属する技術分野】
本発明は、内周に滑り軸受が設けられたローラがブシュに回転自在に外嵌され、且つアタッチメントを備えたコンベヤチェーンに関するものである。
【０００２】
【従来の技術】
従来、ローラとアタッチメントを備えたコンベヤチェーンとして、図５〜７に示すコンベヤチェーンがある。図５は従来のコンベヤチェーンを一部断面で示す平面図である。図６は図５に示すコンベヤチェーンの正面図である。図７は図５におけるＺ部の拡大断面図である。
【０００３】
図５〜７に示すコンベヤチェーン１は、鋼製のブシュ２に鋼製のフランジローラ３が回転自在に外嵌され、ブシュ２の両端がそれぞれ一対の内プレート４，４のブシュ孔に固定され、ブシュ２内に回転自在に嵌挿されたピン５の両端が一対の内プレート４，４の両外側に配置された一対の外プレート６，６のピン孔に固定されているコンベヤチェーンであって、所定間隔毎に一方の外プレート６に代えてベントアタッチメント７が取り付けられている。ベントアタッチメント７には２個の取付け孔７ａが設けられている。なお、ベントアタッチメント７には負荷がかかるため、ベントアタッチメント７の板厚は内プレート４及び外プレート６の板厚より厚いものが使用され、さらに、ベントアタッチメント７を取り付ける部分のピン５はその一端の突出部におねじを設け、このおねじ部にワッシャ８を介してナット９を螺合して取り付けている。その他のピン５にはその一端の突出部に抜け止め用のＴピン１０が差し込まれてる。
【０００４】
また、別の従来例として、ブシュにローラが回転自在に外嵌されているチェーンにおいて、ブシュの外周面と接触するローラの内周面が樹脂で形成されている構成のものがある（例えば、特許文献１参照。）。
【０００５】
【特許文献１】
実用新案登録第２５８７１５２号公報  （第１頁第１欄第２行−同頁第２欄第２行、第２頁第３欄第３９行−同頁第４欄第５行、図１−４）
【０００６】
また、さらに別の従来例として、焼結含油ブシュにローラが回転自在に外嵌されている焼結含油ブシュコンベヤチェーンにおいて、焼結含油ブシュの外周面と接触するローラの内周面が樹脂で形成されている構成のものがある（例えば、特許文献２参照。）。
【０００７】
【特許文献２】
特開平１０−２５０８１８号公報  （第２頁第１欄第２−９行、図１，２）
【０００８】
【発明が解決しようとする課題】
ところで、図５〜７に示すコンベヤチェーン１は、ブシュ２及びフランジローラ６が鋼製であるので自己潤滑性がないため、特に起動時にブシュ２とフランジローラ６間の摺動により耳障りな金属摺動音が発生する。そして、コンベヤチェーン１を除塵機に適用した場合、この除塵機が住宅の近くに設置されるときは、この金属摺動音が地域住民からの苦情の原因となるという問題がある。さらに、ブシュ２とフランジローラ６間の金属摺動により、ブシュ２及びフランジローラ６の摩耗が大きく、早期に摩耗寿命に達するという問題もあった。
【０００９】
また、上記実用新案登録第２５８７１５２号公報に開示されたチェーン及び上記特開平１０−２５０８１８号公報に開示された焼結含油ブシュコンベヤチェーンは、いずれもはブシュの外周面と接触するローラの内周面が樹脂で形成されているので、樹脂の自己潤滑性によりブシュとローラ間の摺動による耳障りな金属摺動音の発生は防止できるが、高荷重（高負荷）を支持するには十分でなくこの点で未だ改善の余地がある。
【００１０】
そこで、本発明は、前記問題点を解決し、無給油でも潤滑性に優れ、ブシュの外周面とローラの内周面の摩耗が低減されて、ブシュとローラとの間で発生する摺動音や焼付きを防止でき、高荷重（高負荷）を支持することができ、製造コストの安価なコンベヤチェーンを提供することを目的とするものである。
【００１１】
【課題を解決するための手段】
請求項１記載の発明は、前記問題点を解決するために、内周に滑り軸受が設けられたローラがブシュに回転自在に外嵌され、且つアタッチメントを備えたコンベヤチェーンにおいて、前記アタッチメントからの負荷を支持する前記ローラの前記滑り軸受は固体潤滑剤を有する金属製滑り軸受で構成され、その他の前記ローラの前記滑り軸受は樹脂製滑り軸受で構成されているものである。
【００１２】
請求項２記載の発明は、前記問題点を解決するために、請求項１記載のコンベヤチェーンにおいて、前記樹脂製滑り軸受は固体潤滑剤を有するものである。
【００１３】
請求項１記載の発明によれば、アタッチメントからの負荷を支持するローラの滑り軸受は固体潤滑剤を有する金属製滑り軸受で構成され、その他のローラの滑り軸受は比較的安価な樹脂製滑り軸受で構成されているので、無給油でも潤滑性に優れ、ブシュの外周面とローラの内周面の摩耗が低減され、ブシュとローラとの間で発生する摺動音や焼付きを防止でき、高荷重（高負荷）を支持することができ、製造コストが安価である。
【００１４】
請求項２記載の発明によれば、樹脂製滑り軸受が固体潤滑剤を有するので、ブシュとローラとの間に、より一層の潤滑効果を付与することができる。
【００１５】
【発明の実施の形態】
本発明の実施の形態について以下に説明する。図１は本発明の実施の形態に係るコンベヤチェーンを一部断面で示す平面図である。図２は図１に示すコンベヤチェーンの正面図である。図３は図１におけるＸ部の拡大断面図である。図４は図１におけるＹ部の拡大断面図である。
【００１６】
図１〜４に示すコンベヤチェーン１１は、鋼製のブシュ１２に鋼製のフランジローラ１３が回転自在に外嵌され、ブシュ１２の両端がそれぞれ一対の内プレート１４，１４のブシュ孔に固定され、ブシュ１２内に回転自在に嵌挿されたピン１５の両端が一対の内プレート１４，１４の両外側に配置された一対の外プレート１６，１６のピン孔に固定されているコンベヤチェーンであって、所定間隔毎に一方の外プレート１６に代えてベントアタッチメント１７が取り付けられている。ベントアタッチメント１７には２個の取付け孔１７ａが設けられている。なお、後述するように、ベントアタッチメント１７には負荷がかかるため、ベントアタッチメント１７の板厚は内プレート１４及び外プレート１６の板厚より厚いものが使用され、さらに、ベントアタッチメント１７を取り付ける部分のピン１５はその一端の突出部におねじを設け、このおねじ部にワッシャ１８を介してナット１９を螺合して取り付けている。その他のピン５にはその一端の突出部に抜け止め用のＴピン２０が差し込まれてる。
【００１７】
各鋼製のフランジローラ１３の内周には滑り軸受が圧入されている。各鋼製のフランジローラ１３の内で、ベントアタッチメント１７からの負荷を支持するフランジローラ１３の内周面には固体潤滑剤を有する金属製滑り軸受として固体潤滑剤を有する銅系合金製滑り軸受２１が圧入されている。
【００１８】
固体潤滑剤を有する銅系合金製滑り軸受２１は銅系合金に孔または凹部を形成し、固体潤滑剤としての黒鉛を埋め込むことにより形成される。また、固体潤滑剤として二硫化モリブデンあるいはポリテトラフルオロエチレン樹脂（ＰＴＦＥ）等の焼成体を銅系合金の孔または凹部に埋め込むことにより形成してもよい。さらに、固体潤滑剤を有する銅系合金製滑り軸受２１は固体潤滑剤としての黒鉛、二硫化モリブデン、ポリテトラフルオロエチレン樹脂（ＰＴＦＥ）等の粉末を銅系合金とともに焼結して形成することもできる。
【００１９】
各鋼製のフランジローラ１３の内で、ベントアタッチメント１７からの負荷を支持しないフランジローラ１３の内周面にはポリアミド樹脂製滑り軸受２２が圧入されている。
【００２０】
また、ポリアミド樹脂製滑り軸受２２に固体潤滑剤としての黒鉛、二硫化モリブデン、ポリテトラフルオロエチレン樹脂（ＰＴＦＥ）等の粉末を配合してもよい。黒鉛、二硫化モリブデン、ポリテトラフルオロエチレン樹脂（ＰＴＦＥ）等の粉末を配合することによりポリアミド樹脂製滑り軸受２２はその潤滑性が一層改善される。
【００２１】
次に、図１〜４に示すコンベヤチェーン１１を除塵機に適用した場合のコンベヤチェーン１１の作用について説明する。除塵機は水処理プラントの汚水流入口や、河川の取水口に取り付けられる。除塵機においては、一対のコンベヤチェーン１１を図示しないそれぞれ一対のスプロケットに巻き掛けて所定の距離をおいて平行に配置し、一対のコンベヤチェーン１１のベントアタッチメント１７に図示しないレーキの両端部を渡して取付け孔１７ａを利用してボルト、ナット等により固定する。レーキはゴミを掻き揚げる櫛状の掻き揚げ部材である。
【００２２】
図示しないモータによって駆動側スプロケットが回転すると、一対のコンベヤチェーン１１が上方に走行し、コンベヤチェーン１１のフランジローラ１３は図示しないレール上を案内されて回転する。この際、フランジローラ１３はブシュ１２を中心に回転するが、フランジローラ１３の内周に固体潤滑剤を有する銅系合金製滑り軸受２１またはポリアミド樹脂製滑り軸受２２が圧入されているので、無給油でも潤滑性に優れ、ブシュ１２の外周面とフランジローラ１３の内周面の摩耗が低減されて、摩耗寿命が延長され、ブシュ１２とフランジローラ１３との間で発生する摺動音や焼付きを防止できる。因に、起動時のブシュとローラとの間の摺動音を実測したところ、図５〜７に示す従来のコンベヤチェーン１では９５ｄＢ（Ａ）であったものが本発明の実施の形態に係るコンベヤチェーン１１では７５ｄＢ（Ａ）まで低下した。
【００２３】
そして、レーキによってゴミを掻き揚げるため、レーキが連結されたベントアタッチメント１７を取り付けた部分のフランジローラ１３は負荷を支持することになる。この負荷を支持するフランジローラ１３の内周には固体潤滑剤を有する銅系合金製滑り軸受２１が圧入されており、この銅系合金製滑り軸受２１がブシュ１２に対して回転摺動するので、高荷重（高負荷）を支持することができる。また、ベントアタッチメント１７が取り付けられていないその他のフランジローラ１３は単にレール上を案内されて回転するだけであるので、あまり負荷がかからない。そのため、ベントアタッチメント１７が取り付けられていないその他のフランジローラ１３の内周には比較的安価なポリアミド樹脂製滑り軸受２２が圧入されている。したがって、コンベヤチェーン１１全体の製造コストを安価にすることができる。また、フランジローラ１３の回転の摩擦係数が低減できるので、コンベヤチェーン１１の張力が低減し、モータの消費電力も抑えられる。
【００２４】
なお、本発明の実施の形態ではベントアタッチメント１７からの負荷を支持するフランジローラ１３の内周面に固体潤滑剤を有する金属製滑り軸受として固体潤滑剤を有する銅系合金製滑り軸受２１が圧入されているが、請求項１，２記載の発明では固体潤滑剤を有する金属製滑り軸受として銅系合金製滑り軸受に限定されるものではなく、鋳鉄製滑り軸受も使用できる。
【００２５】
また、本発明の実施の形態ではベントアタッチメント１７が取り付けられていないその他のフランジローラ１３の内周にポリアミド樹脂製滑り軸受２２が圧入されているが、請求項１，２記載の発明ではポリアミド樹脂に限定されるものではなく、他の種類の樹脂も使用できる。
【００２６】
また、本発明の実施の形態ではローラとしてフランジローラ１３を使用した例を示しているが、請求項１，２記載の発明ではローラはフランジローラに限定されるものではなく、他の種類のローラも使用できる。
【００２７】
また、本発明の実施の形態では所定間隔毎に一方の外プレート１６に代えてベントアタッチメント１７が取り付けた例を示しているが、請求項１，２記載の発明では所定間隔毎に一方の内プレート１４に代えてベントアタッチメント１７を取り付けることもできる。
【００２８】
また、本発明の実施の形態ではアタッチメントとしてベントアタッチメント１７を使用した例を示しているが、請求項１，２記載の発明ではアタッチメントはベントアタッチメントに限定されるものではなく、他の種類のアタッチメント、すなわちストレートアタッチメントあるいは延長ピンアタッチメントも使用できる。
【００２９】
【発明の効果】
請求項１記載の発明によれば、アタッチメントからの負荷を支持するローラの滑り軸受は固体潤滑剤を有する金属製滑り軸受で構成され、その他のローラの滑り軸受は比較的安価な樹脂製滑り軸受で構成されているので、無給油でも潤滑性に優れ、ブシュの外周面とローラの内周面の摩耗が低減され、ブシュとローラとの間で発生する摺動音や焼付きを防止でき、高荷重（高負荷）を支持することができ、製造コストが安価である。
【００３０】
請求項２記載の発明によれば、請求項１記載の発明の効果に加えて、樹脂製滑り軸受が固体潤滑剤を有するので、ブシュとローラとの間により一層の潤滑効果を付与することができる。
【図面の簡単な説明】
【図１】本発明の実施の形態に係るコンベヤチェーンを一部断面で示す平面図である。
【図２】図１に示すコンベヤチェーンの正面図である。
【図３】図１におけるＸ部の拡大断面図である。
【図４】図１におけるＹ部の拡大断面図である。
【図５】従来のコンベヤチェーンを一部断面で示す平面図である。
【図６】図５に示すコンベヤチェーンの正面図である。
【図７】図５におけるＺ部の拡大断面図である。
【符号の説明】
１１    コンベヤチェーン
１２    ブシュ
１３    フランジローラ
１４    内プレート
１５    ピン
１６    外プレート
１７    ベントアタッチメント
１７ａ  取付け孔
１８    ワッシャ
１９    ナット
２０    Ｔピン
２１    固体潤滑剤を有する銅系合金製滑り軸受
２２    ポリアミド樹脂製滑り軸受
【図１】
2004196487.tif 000003
【図２】
2004196487.tif 000004
【図３】
2004196487.tif 000005
【図４】
2004196487.tif 000006
【図５】
2004196487.tif 000007
【図６】
2004196487.tif 000008
【図７】
2004196487.tif 000009